(57)【要約】【課題】本発明は、桟瓦同士が固く連結され、且つ、掛止し合う部分も堅牢であり、加えて施工が容易で、施工後、美しい外観を呈することができる桟瓦を提供することにある。【解決手段】本発明における桟瓦１０は、桟部１２、差込部１４、尻部１６、頭部１８で構成された桟瓦において、桟部１２の流れ方向に沿った突条２２を備え、突条２２の尻部１６側の一端面２２ａが、桟部１２の瓦表面から尻部１６側に傾斜して立ち上がり、突条２２の頭部１８側の他端面２２ｂが、桟部１２の瓦表面から尻部１６側に傾斜して立ち上がることを特徴とする。【選択図】  図１
2004218247.tif 000002
【特許請求の範囲】
【請求項１】
桟部、差込部、尻部、頭部で構成された桟瓦において、
前記桟部の流れ方向に沿った突条を備え、
前記突条の尻部側の一端面が、前記桟部の瓦表面から尻部側に傾斜して立ち上がり、
前記突条の頭部側の他端面が、前記桟部の瓦表面から尻部側に傾斜して立ち上がることを特徴とする桟瓦。
【請求項２】
前記一端面が、立ち上がり且つ、前記桟部から差込部方向に進むに従い、流れ方向に傾斜し、
前記他端面が、立ち上がり且つ、前記桟部から差込部方向に進むに従い、流れ方向に傾斜することを特徴とする請求項１に記載の桟瓦。
【請求項３】
前記突条の尻側の一端面が、前記尻部端面の内方に控えて位置し、前記突条の他端面が、頭部より延出した、請求項１又は請求項２に記載の桟瓦。
【請求項４】
前記桟部における、前記一端面の近傍における瓦表面に、流れ方向に傾斜した水切り溝を設けたことを含む、請求項１乃至請求項３に記載の桟瓦。
【請求項５】
一の桟瓦における尻部の表面に、他の桟瓦における頭部の裏面が重ね合わされる桟瓦の施工方法であって、
前記一の桟瓦における突条の尻部側の一端面と、他の桟瓦における突条の頭部側の他端面とを面合わせし、他の桟瓦を配置するステップを含む、桟瓦の施工方法。
【発明の詳細な説明】
【０００１】
【発明の属する技術分野】
本発明は、屋根に配置する桟瓦に関する。
【０００２】
【従来の技術】
和風の桟瓦は、図１３（ａ）で示すように、桟部１２と差込部１４、及び尻部１６と頭部１８がそれぞれ相対する略四角形で構成されており、桟部１２と差込部１４を横断する断面が、図１３（ｂ）で示すように波型に形成されている。桟瓦の裏面の尻部側には、瓦桟に引っ掛けるための突起２０が設けられている。
【０００３】
桟瓦の施工は、一般的に以下のように行われる。一の桟瓦を瓦桟に掛止し、一の桟瓦における差込部１４の表面に、他の桟瓦における桟部１２の裏面を重ね合わせるようにして、該一の桟瓦の右横に他の桟瓦を配置する。この作業を右横方向に繰り返し行い、横方向の配置が右端まで終了したならば、一段上の瓦桟に、桟瓦を左から右方向に掛止して配置している。このように桟瓦は、屋根板の軒側から棟側に向かって配置される。桟瓦は、突起２０で瓦桟に掛止される他に、一部の桟瓦が釘を用いて瓦桟に固定されている。
【０００４】
上述の如き桟瓦の施工では、地震による縦横の揺れや、台風等による強風などで、桟瓦が飛ばされてしまい、危険であった。そこで、従来から、様々な手法を用いて桟瓦の飛散を防止する発明が為されている。
【０００５】
例えば、桟瓦に金具を取り付け、その金具を鋼索等で連結し、鋼索等を屋根に固定することで桟瓦を屋根に固定させる発明（特許文献１参照）や、桟瓦における、隣接する桟瓦と係止し合う部位の形状を工夫することで、桟瓦が浮き上がらないようにした発明（特許文献２、特許文献３、特許文献４参照）がある。
【０００６】
【特許文献１】
特開平６−２６１５３号公報
【特許文献２】
特開平８−２０９８５９号公報
【特許文献３】
特開平１１−３１０９９６号公報
【特許文献４】
特開２００１−１７３１６０号公報
【０００７】
【発明が解決しようとする課題】
しかしながら、これら従来の発明においては、次のような欠点があった。特許文献１に例示する発明においては、桟瓦の施工が容易でなく、施工後の屋根の見栄えが良くない。また、特許文献２、特許文献３、特許文献４に例示する発明においては、互いに係止し合う桟瓦の部位が、小さい面積同士で係止し合うことから、その係止し合う小さな面積の部位に大きな力が加わると、係止し合う部位が割れ落ち、桟瓦が飛散することも考えられる。
【０００８】
また、桟瓦同士の係止により桟瓦の浮き上がりを防止する発明の技術思想では、桟瓦同士が重なる部分において桟瓦同士が係止し合うのであるが、その桟瓦同士が重なる部分の面積は、桟瓦全体の面積のごく一部であるから、係止し合う部位の面積を大きくすることに限界がある。
【０００９】
そこで、本発明の目的は、桟瓦同士が固く連結され、且つ、掛止し合う部分も堅牢であり、加えて施工が容易で、施工後、美しい外観を呈することができる桟瓦を提供することにある。
【００１０】
【課題を解決するための手段】
本発明に係る桟瓦は、桟部、差込部、尻部、頭部で構成され、前記桟部の流れ方向に沿った突条を備え、前記突条の尻部側の一端面が、前記桟部の瓦表面から尻部側に傾斜して立ち上がり、前記突条の頭部側の他端面が、前記桟部の瓦表面から尻部側に傾斜して立ち上がることを特徴とする。本発明における流れ方向とは、桟瓦において雨水流れる方向のことをいう。言い換えると、桟瓦における尻から頭に向かう方向のことをいう。
【００１１】
更に、本発明に係る桟瓦は、上述の構成に加え、前記一端面が、立ち上がり且つ、前記桟部から差込部方向に進むに従い、流れ方向に傾斜し、前記他端面が、立ち上がり且つ、前記桟部から差込部方向に進むに従い、流れ方向に傾斜することを特徴とする。
【００１２】
更に、本発明に係る桟瓦は、上述の構成に加え、前記突条の尻側の一端面が、前記尻部端面の内方に控えて位置し、前記突条の他端面が、頭部より延出していることを特徴とするものである。
【００１３】
更に、本発明に係る桟瓦は、上述の構成に加え、前記桟部における、前記一端面の近傍における瓦表面に、流れ方向に傾斜した水切り溝を設けたことを特徴とする。
【００１４】
また、本発明に係る桟瓦の施工方法は、一の桟瓦における尻部の表面に、他の桟瓦における頭部の裏面が重ね合わされる桟瓦の施工方法であって、前記一の桟瓦における突条の尻部側の一端面と、他の桟瓦における突条の頭部側の他端面とを面合わせし、他の桟瓦を配置するステップを含むことを特徴とする。
【００１５】
【発明の実施の形態】
本発明の実施の形態に係る桟瓦を図面に基づき説明する。以下で、従来例と重複する構成要素については、同符号を付してその詳細な図示又は説明を省略する。図１に示すように、本発明における桟瓦１０は、桟部１２、差込部１４、尻部１６、頭部１８で構成された桟瓦において、桟部１２の流れ方向に沿った突条２２を備え、突条２２の尻部１６側の一端面２２ａが、桟部１２の瓦表面から尻部１６側に傾斜して立ち上がり、突条２２の頭部１８側の他端面２２ｂが、桟部１２の瓦表面から尻部１６側に傾斜して立ち上がることを特徴とする。
【００１６】
また、本発明における桟瓦１０は、上述の構成に加え、一端面２２ａが、桟部１２から差込部１４方向に進むに従い、流れ方向に傾斜し、他端面２２ｂが、桟部１２から差込部１４方向に進むに従い、流れ方向に傾斜することを特徴とする
【００１７】
図２に示すように、桟瓦１０には、桟部１２の尻部１６側の端部に尻切込部２４と、差込部１４の頭部１８側の端部に頭切込部２６が設けられている。尻切込部２４は、桟部１２の尻部１６側の隅部が、尻切込幅と尻切込長さで切り取られている。頭切込部２６は、差込部１４の頭部１８側の隅部が、頭切込幅と頭切込長さで切り取られている。ここで、幅とは、桟部１２と差込部１４を結ぶ線の方向のことを示し、長さとは、尻部１６と頭部１８を結ぶ線の方向のことを示す。
【００１８】
図２に示すように、桟瓦１０の尻部１６側の表面と差込部１４側の表面に段差による水切り２８が設けられており、差込部１４側には、流れ方向に沿って凸条の水切り２８が設けられている。桟瓦１０の尻部１６側には釘を挿通するための貫通孔３０が設けられいる
【００１９】
突条２２は、桟瓦１０の桟部１２において、流れ方向に沿って設けられている。図１に示すように、この突条２２は断面が略カマボコ型に形成されており、従来の桟瓦における桟部１２の部分に突出し、且つ、流れ方向に沿ってテーパー状に先細り、桟部１２と一体となって設けられている。
【００２０】
図１に示すように、突条２２の尻部１６側の一端面２２ａは、桟瓦１０の尻部１６端面から流れ方向の内方、すなわち、桟部１２の尻切込部２４から更に内方の瓦表面から尻部１６側方向に斜めに立ち上がっている。ここで、桟部１２の瓦表面とは、桟部１２における突条２２が突出していない部分の表面のことを示す。詳しくは、図３に示すように、突条２２の尻部１６側の一端面２２ａは、尻切込部２４から更に内方に、頭切込長さ程度離れた位置から立ち上がり、瓦表面から垂直に立ち上がった面を基準とすると、尻部１６側に約１８度傾いて立ち上がっている。
【００２１】
突条２２の尻部１６側の一端面２２ａは、図２に示すように、桟部１２から差込部１４方向に進むに従い、流れ方向に緩やかに傾斜している。詳しくは、図２において流れ方向と垂直に交わる線を基準にすると、流れ方向に約５度傾いている。
【００２２】
突条２２の頭部１８側の他端面２２ｂは、図２に示すように、頭部１８より延出した掛止部３２に備わる。この掛止部３２は、突条２２の頭部１８側に、桟部１２側よりも差込部１４側が斜めに突出して延設されている。他端面２２ｂは、この掛止部３２の端面に設けられている。ここで掛止部３２とは、突条２２における桟瓦１０の頭部１８側の端面から、流れ方向に延設されている部分のことを示す。
【００２３】
突条２２の頭部１８側の他端面２２ｂは、突条２２の頭部１８側端部から尻部１６側方向に斜めに立ち上がっている。詳しくは、図３に示すように、突条２２の頭部１８側の他端面２２ｂは、突条２２の尻部１６側の一端面２２ａと同じ傾斜で立ち上がっている。
【００２４】
突条２２の頭部１８側の他端面２２ｂは、図２に示すように、桟部１２から差込部１４方向に進むに従い、流れ方向に緩やかに傾斜している。詳しくは、図２に示すように、突条２２の頭部１８側の他端面２２ｂは、突条２２の尻部１６側の一端面２２ａと同じ傾斜で傾いている。
【００２５】
つまり、一の桟瓦１０ａにおける突条２２の一端面２２ａと、他の桟瓦１０ｂにおける突条２２の他端面２２ｂとは同じ傾斜で傾いている。言い換えると、同じ桟瓦１０における、突条２２の尻部１６側の一端面２２ａと、頭部１８側の他端面２２ｂは、同じ傾斜で傾いている。
【００２６】
図２に示すように、桟部１２の瓦表面には、山型状の水切り溝３４を設けている。この山型状の水切り溝３４は、裾野部分が流れ方向に向くように設けている。
【００２７】
次に、本発明における桟瓦１０の施工方法を、本発明における桟瓦１０の作用と共に説明する。図５に示すように、本発明における桟瓦１０は、屋根板に間隔を置いて固定された瓦桟に掛止される。桟瓦１０の尻部１６裏面に設けられた突起２０を瓦桟に掛止することによって、桟瓦１０が屋根板の上に配置される。桟瓦１０は、貫通孔３０に釘を挿通させ、釘を瓦桟に打ち込むことにより、桟瓦１０の尻部１６が固定される。
【００２８】
桟瓦１０の施工は、軒側から棟側に向かって施工される。桟瓦１０は軒先の左側から右側方向に配置され、施工を行う屋根の右端まで配置された後、一段上の瓦桟に桟瓦１０が掛止される。ここで、左および右とは、施工を行う屋根を正面に見て、左および右と表現している。
【００２９】
一の桟瓦１０ａ（この場合は、軒先の桟瓦）における突条２２の傾斜した一端面２２ａに、一の桟瓦１０ａの上方側に配置される他の桟瓦１０ｂ（この場合は、一段上の瓦桟に掛止される桟瓦）における突条２２の傾斜した他端面２２ｂが面合わせされる。他の桟瓦１０ｂは、一の桟瓦１０ａの傾斜している一端面２２ａに、他の桟瓦１０ｂの他端面２２ｂを面合わせさせるために、斜め上方から滑り込ませるように一の桟瓦１０ａの突条２２に嵌め込まれる。上述の作業を桁行き方向（左から右に向かう方向）に繰り返すことで桟瓦１０が施工される。
【００３０】
図４及び図５に示すように、一の桟瓦１０ａにおける突条２２の一端面２２ａに、他の桟瓦１０ｂにおける突条２２の他端面２２ｂが面合わせされることで、他の桟瓦１０ｂの突条２２が、一の桟瓦１０ａの突条２２に規制されるので、他の桟瓦１０ｂにおける頭部１８の浮き上がりを防止することができる。
【００３１】
また、図５及び図６に示すように、他の桟瓦１０ｂの掛止部３２が、他の桟瓦１０ｂの裏面に配置される一の桟瓦１０ａの桟部１２表面に覆い被さっているので、一の桟瓦１０ａの浮き上がりを防止することができる。
【００３２】
また、図４及び図５に示すように、桟部１２の瓦表面には、裾野部分が流れ方向に向く山型状の水切り溝３４を設けている。これにより、一の桟瓦１０ａの一端面２２ａと、他の桟瓦１０ｂの他端面２２ｂとの隙間から瓦表面に流れ込んだ雨水を、桟瓦１０の谷部に流し込むことができる。よって、桟瓦１０の突条２２の隙間から雨水が流れ込むことによる、家屋の雨漏りを防止することができる。
【００３３】
また、図６に示すように、桟瓦１０の突条２２の一端面２２ａが、桟部１２から差込部１４に進むに従い、流れ方向に傾斜していることから、一端面２２ａと、この桟瓦１０の上方に配置された桟瓦１０の他端面２２ｂとの間の隙間に流れ込んだ雨水を桟瓦１０の谷部に流し込むことができる。よって、一端面２２ａと他端面２２ｂとの間に雨水が溜まらないことから、桟瓦１０に突条２２を設けることによって、家屋の雨漏りの原因となることはない。
【００３４】
また、図４に示すように、他の桟瓦１０ｂは、一の桟瓦１０ａの傾斜している一端面２２ａに、他の桟瓦１０ｂの他端面２２ｂを面合わせさせるために、斜め上方から滑り込ませるように一の桟瓦１０ａの突条２２に嵌め込んでいる。よって、一の桟瓦１０ａに他の桟瓦１０ｂを掛止させる際に、特別な部材（例えば、引っ掛け金具等）を使用しないことから、桟瓦の施工が容易である。
【００３５】
更に、図４及び図６に示すように、桟瓦１０の桟部１２に設けられた突条２２が、軒から棟方向に連なるように見える。よって、本発明の桟瓦１０を屋根全体に配置すると、平瓦と丸瓦からなる所謂本葺きの如く、美しい外観を呈することができる。
【００３６】
尚、本発明はその趣旨を逸脱しない範囲で当業者の知識に基づき種々なる改良、修正、変形を加えた態様で実施できるものである。
【００３７】
例えば、図７に示すように、万十角瓦（右）の桟部１２に突条２２を設けることも、本発明の範囲に含まれる。また、図８に示すように、袖瓦（右）の桟部１２に突条２２を設けることも、本発明の範囲に含まれる。また、図示しないが、角瓦（右）、万十軒瓦、一文字角瓦（右）、一文字軒瓦等の、使用される場所により異なる形状の桟瓦１０の桟部１２に突条２２を設けることも、本発明の範囲に含まれる。
【００３８】
また、桟部１２に設けられる突条２２の断面も、実施形態例に限定されない。例えば、図９に示すように、断面円弧状にすることや、図１０に示すように、断面山型にすることも、本発明の範囲に含まれる。
【００３９】
また、突条２２の一端面２２ａおよび他端面２２ｂの形状も、実施形態例に限定されない。例えば、図１１に示すように、突条２２の尻部１６側の一端面２２ａに、凹状の溝部３８を設け、突条２２の頭部１８側の他端面２２ｂに、凹状の溝部３８と嵌合する凸状の突部３６を設けることも、本発明の範囲に含まれる。また、図１２に示すように、突条２２の尻部１６側の一端面２２ａに、ノコギリ状の突部３６を設け、突条２２の頭部１８側の他端面２２ｂに、突部３６と嵌合するノコギリ状の溝部３８を設けることも、本発明の範囲に含まれる。これにより、一の桟瓦１０ａの突部３６又は溝部３８と、他の桟瓦１０ｂの突部３６又は溝部３８をを嵌合させることで、他の桟瓦１０ｂを施工する際の桟瓦１０の位置決めが容易になる。よって、桟瓦１０の施工がより容易になる。
【００４０】
【発明の効果】
本発明における桟瓦によれば、一の桟瓦における突条の傾斜した一端面（尻部側）と、一の桟瓦の上方側に配置された他の桟瓦における突条の傾斜した他端面（頭部側）とが、面合わせされることにより、互いに規制されるので、強風や地震等による他の桟瓦頭部の浮き上がりを防止することができる。
【００４１】
また、本発明における桟瓦によれば、一の桟瓦の上方に配置された他の桟瓦の掛止部が、一の桟瓦における桟部の瓦表面に係止されることにより、一の桟瓦が他の桟瓦に押さえつけられるので、強風や地震等による一の桟瓦の浮き上がりを防止することができる。
【００４２】
また、本発明における桟瓦によれば、一の桟瓦の一端面と、他の桟瓦の他端面とが面合わせされている部分が、桟部から差込部方向に進むに従い、流れ方向に傾斜している。よって、桟瓦が差込部から桟部に向かう方向（左方向）にずれるのを防止することができる。また、桟瓦の頭切込部に右下の桟瓦の尻切込部が当接することから、桟瓦は桟部から差込部に向かう方向（右方向）にずれることはない。よって、本発明における桟瓦は、左及び右のどちらの方向にも、ずれることを防止することができる。
【００４３】
また、本発明における桟瓦によれば、一の桟瓦における突条の一端面に設けられた溝部（又は突部）に、一の桟瓦の上方に配置された、他の桟瓦における突条の他端面に設けられた突部（又は溝部）が嵌合することにより、一の桟瓦と他の桟瓦の連結がより強固になる。よって、強風や地震等による他の桟瓦頭部の浮き上がりをより一層防ぐことができる。また、突部と溝部を嵌合させることで、他の桟瓦を施工する際の桟瓦の位置決めが容易になる。よって、桟瓦の施工がより容易になる。
【００４４】
また、本発明における桟瓦によれば、桟部の瓦表面に、流れ方向に傾斜した水切り溝が設けられているので、一の桟瓦の一端面と、他の桟瓦の他端面との隙間から瓦表面に流れ込んだ雨水を、桟瓦の谷部に流し込むことができる。よって、桟瓦の突条の隙間から雨水が流れ込むことによる家屋の雨漏りを防止することができる。
【００４５】
また、桟部に突条が設けられることにより、桟瓦の桟部分が重くなる。よって、桟瓦の桟部の下面に面している、左隣の桟瓦の差込部から入り込む風の浮力によって、桟瓦が横方向から浮き上がることを防止することができる。
【図面の簡単な説明】
【図１】本発明における桟瓦の斜視図である。
【図２】本発明における桟瓦の平面図である。
【図３】本発明における桟瓦の側面図である。
【図４】本発明における一の桟瓦と他の桟瓦の施工後の状態を示す斜視図である。
【図５】本発明における桟瓦の施工後の状態を示す側面図である。
【図６】本発明における桟瓦の施工後の状態を示す平面図である。
【図７】本発明における桟瓦の他の実施形態における万十角瓦の斜視図である。
【図８】本発明における桟瓦の他の実施形態における袖瓦の斜視図である。
【図９】本発明における桟瓦の他の実施形態の斜視図である。
【図１０】本発明における桟瓦の他の実施形態の斜視図である。
【図１１】本発明における桟瓦の他の実施形態の斜視図である。
【図１２】本発明における桟瓦の他の実施形態の斜視図である。
【図１３】（ａ）は従来の桟瓦の平面図、（ｂ）は従来の桟瓦の断面図である。
【符号の説明】
１０：桟瓦
１０ａ：一の桟瓦
１０ｂ：他の桟瓦
１２：桟部
１４：差込部
１６：尻部
１８：頭部
２０：突起
２２：突条
２２ａ：一端面
２２ｂ：他端面
２４：尻切込部
２６：頭切込部
２８：水切り
３０：貫通孔
３２：掛止部
３４：水切り溝
３６：突部
３８：溝部
【図１】
2004218247.tif 000003
【図２】
2004218247.tif 000004
【図３】
2004218247.tif 000005
【図４】
2004218247.tif 000006
【図５】
2004218247.tif 000007
【図６】
2004218247.tif 000008
【図７】
2004218247.tif 000009
【図８】
2004218247.tif 000010
【図９】
2004218247.tif 000011
【図１０】
2004218247.tif 000012
【図１１】
2004218247.tif 000013
【図１２】
2004218247.tif 000014
【図１３】
2004218247.tif 000015